(57)【要約】      （修正有）【課題】商品選択販売機の提供。【解決手段】移動柱３２は垂直に囲い１３に設置することが出来る。なおモーター３３によって囲い１３上下に移動コントロールすることが出来、そしてモーター３３は一油圧モーターであることが可能である。囲い１３はＬ字型の囲い、商品選択室１０に密接して角には商品の落し口１４が設置されている。四辺の形であることが可能、そして商品落し口１４の間に設置することが出来る。囲い１３の上下方式、一コントロール器３１によって変動することが出来、或いは電路板の上に設計された特殊電路コントロールを設置する。コインの投入が多い時に、囲い１３がさらに低く移動できることが出来、そして囲い１３と物置平台１１との高さの差も減少することが出来る。商品の掴み取りがたとえ掴んだ時或いは掴んだ後の途中の落下、商品が落し口１４へ落ちる可能性が増加、商品掴み取りへの楽しみも多くなる。【選択図】図３
0003118394.tif 000002
【実用新案登録請求の範囲】
【請求項１】
商品選択販売機において、
商品選択コントロール部、商品選択コントロール部はコイン投入口、方向コントローラーとボタンを含み、及び一商品選択室、商品選択室中には掴み爪、物置平台と商品落し口が設定され、物置平台と落し口との間には囲いが設置され、物置平台には移動装置が設置されていて、上下移動が可能ということを特徴とする、商品選択販売機。
【請求項２】
請求項１記載の商品選択販売機において、その移動装置で含むのは場所移動柱と場所移動柱を上下にコントロールするモーター、そして場所移動柱は垂直に物置平台と繋がっていることを特徴とする、商品選択販売機。
【請求項３】
請求項１記載の商品選択販売機において、その移動装置で含むのは交差伸縮棒と交差伸縮棒を上下にコントロールするモーターそして交差伸縮棒は垂直に物置平台に設置されていることを特徴とする、商品選択販売機。
【請求項４】
商品選択コントロール部、商品選択コントロール部はコイン投入口、方向コントローラーとボタンを含み、及び商品選択室、商品選択室には掴み爪が設置してある、物置平台と落し口、物置平台と述べた商品の落し口との間には囲いが設置され、囲いには移動装置が設置され、上下に移動することが可能であることを特徴とする、商品販売機。
【請求項５】
請求項４記載の商品選択販売機において、その移動装置に含まれるのは移動柱とコントローラー上下する場所移動柱のモーター、そして移動柱は垂直に囲いに設置されていることを特徴とする、商品選択販売機。
【請求項６】
請求項４記載の商品選択販売機において、その移動装置に含まれるのは交差伸縮柱とコントローラー上下する交差伸縮柱のモーター、そして交差伸縮柱は垂直に囲いに設置されていることを特徴とする、商品選択販売機。
【請求項７】
請求項４記載の商品選択販売機において、その中で囲いはＬ字型、商品選択室の周りを囲むようにして商品落し口に設置されていることを特徴とする、商品選択販売機。
【請求項８】
請求項４記載の商品選択販売機において、その中で囲いは四辺の形となり、そして商品落し口の周りに設置されていることを特徴とする、商品選択販売機。
【請求項９】
商品選択コントロール部、商品選択コントロール部はコイン投入口、方向コントローラーとボタンを含み、及び商品選択室、商品選択室の中には掴み爪、物置平台と商品落し口が設置され、物置平台と商品落し口との間に囲いが設置され、囲いの一面は移動板の移動が可能、移動板は連接片により移動装置が連接され、そして移動装置の前後の移動により囲いが形成され、商品の落し口の開き口が縮小或いは大きく変わることを特徴とする、商品選択販売機。
【請求項１０】
請求項９記載の商品選択販売機において、その中で移動装置は移動柱とコントロールが含まれ、移動柱が前後に移動をするモーター、そして移動柱は垂直に連接片に設置されていることを特徴とする、商品選択販売機。
【請求項１１】
請求項９記載の商品選択販売機において、その中で移動装置は交差伸縮柱とコントロールが含まれ、交差伸縮柱が上下に動くモーター、そして交差伸縮柱は垂直に連接片に設置されていることを特徴とする、商品選択販売機。
【考案の詳細な説明】
【技術分野】
【０００１】
本考案はコントロールが可能、物置平台の調整或いは囲いを上下に場所変えすることが出来る。それによって物置平台と囲いとの間の高さを縮小した商品選択販売機。
【背景技術】
【０００２】
商品選択販売機最も良く見かけるのは市場にある普遍のユーフォーキャッチャー、この外に、商品選択掴み取りの楽しさと多様化を増加する為に、小型の通信商品、タバコ、食品、小型玩具など掴み取り商品選択販売機を見かけることが出来る。商品選択販売機は図１の標示によって知ることが出来る、商品選択室１０と商品選択コントロール部２０を含む。商品選択室１０、物置平台１１、掴み爪１２、囲い１３と商品落とし口１４を含む。物置平台１１は掴み取る商品を置くことが出来る、その一角には囲いが設置してある１３、選択される商品と落とし口１４との区切る。商品選択コントロール部２０は一コイン投入口２１と方向コントローラー２２と一ボタン２３と一取り出し口２４を含む。操作時、コイン投入口２１よりコインを投入後、機械は作動する、方向コントローラー２２によって掴み爪の位置を調節して、掴みとる商品の上方へ移動する、ボタン２３を押す、掴み爪１２は即に下の方へ移動して爪が開き掴み取ることが出来る。尚掴み爪１２の掴み取る角度が正しければ商品を掴み取り上へ移動する。掴み爪１２に伴ってもとの位置商品の落とし口１４の上方へ戻り、掴み爪１２を離します。掴み取った商品は即に商品落とし口１４の中へ落ち、そして取り口２４から商品を取り出す。
【０００３】
商品選択販売機の楽しさは商品を掴み、取れるか取れないかの気持ち、尚掴み取る角度が調整しやすく、掴み取る機会も大きくなる、ただし掴み取るときに挟む点のコントロールは機械による、それに掴み爪の落下時各掴み爪の位置及び商品の配置の角度にもよる。商品を掴んだあとに緩かった場合、掴み爪が元の位置に移動したときに落下する可能性がある。商品が落下した時、一方は掴み爪の移動の力は一定の角度で振り落とす方式で落ちる、その他の一面は落ちた後に転がったり他の商品にぶつかったりする。待機の商品と商品の落し口との間には囲いがあることによって、前に述べた状況は囲いの阻止により商品が商品落し口に落ちたりすることは発生しない、それによって掴み取る失敗の確率が増大する。失敗の確率の高い商品選択販売機、消費者が何度か試した後、通常は掴み取ることを放棄する、或いは他の商品選択販売機を試すことになる、掴み取る楽しみが低下するだけでなく、商品選択販売機への消費回数も減少する。
【考案の開示】
【考案が解決しようとする課題】
【０００４】
前述べ商品選択販売機の掴み取る低い確率の改善と、消費者の掴み取る楽しみの増加、商品販売機消費額の増加の為に、本考案は一種物置平台のコントロールと囲いとの間の高さを調節できるものを提供しています、消費者が掴み取るときに、掴み取る確率を増加し、商品の掴み取る楽しみをも高め、そして商品選択販売機の消費額をも増加させることが出来る。
【課題を解決するための手段】
【０００５】
請求項１の考案は、商品選択販売機において、
商品選択コントロール部、商品選択コントロール部はコイン投入口、方向コントローラーとボタンを含み、及び一商品選択室、商品選択室中には掴み爪、物置平台と商品落し口が設定され、物置平台と落し口との間には囲いが設置され、物置平台には移動装置が設置されていて、上下移動が可能ということを特徴とする、商品選択販売機としている。
請求項２の考案は、請求項１記載の商品選択販売機において、その移動装置で含むのは場所移動柱と場所移動柱を上下にコントロールするモーター、そして場所移動柱は垂直に物置平台と繋がっていることを特徴とする、商品選択販売機としている。
請求項３の考案は、請求項１記載の商品選択販売機において、その移動装置で含むのは交差伸縮棒と交差伸縮棒を上下にコントロールするモーターそして交差伸縮棒は垂直に物置平台に設置されていることを特徴とする、商品選択販売機としている。
請求項４の考案は、商品選択コントロール部、商品選択コントロール部はコイン投入口、方向コントローラーとボタンを含み、及び商品選択室、商品選択室には掴み爪が設置してある、物置平台と落し口、物置平台と述べた商品の落し口との間には囲いが設置され、囲いには移動装置が設置され、上下に移動することが可能ということを特徴とする、商品販売機としている。
請求項５の考案は、請求項４記載の商品選択販売機において、その移動装置に含まれるのは移動柱とコントローラー上下する場所移動柱のモーター、そして移動柱は垂直に囲いに設置されていることを特徴とする、商品選択販売機としている。
請求項６の考案は、請求項４記載の商品選択販売機において、その移動装置に含まれるのは交差伸縮柱とコントローラー上下する交差伸縮柱のモーター、そして交差伸縮柱は垂直に囲いに設置されていることを特徴とする、商品選択販売機としている。
請求項７の考案は、請求項４記載の商品選択販売機において、その中で囲いはL字型、商品選択室の周りを囲むようにして商品落し口に設置されていることを特徴とする、商品選択販売機としている。
請求項８の考案は、請求項４記載の商品選択販売機において、その中で囲いは四辺の形となっている、そして商品落し口の周りに設置されていることを特徴とする、商品選択販売機としている。
請求項９の考案は、一商品選択コントロール部、商品選択コントロール部はコイン投入口、方向コントローラーとボタンを含み、及び商品選択室、商品選択室の中には掴み爪、物置平台と商品落し口が設置され、物置平台と商品落し口との間に囲いが設置され、囲いの一面は移動板の移動が可能、移動板は連接片により移動装置が連接され、そして移動装置の前後の移動により囲いが形成され商品の落し口の開き口が縮小或いは大きく変わることを特徴とする、商品選択販売機としている。
請求項１０の考案は、請求項９記載の商品選択販売機において、その中で移動装置は移動柱とコントロールが含まれ、移動柱が前後に移動をするモーター、そして移動柱は垂直に連接片に設置されていることを特徴とする、商品選択販売機としている。
請求項１１の考案は、請求項９記載の商品選択販売機において、その中で移動装置は交差伸縮柱とコントロールが含まれ、交差伸縮柱が上下に動くモーター、そして交差伸縮柱は垂直に連接片に設置されていることを特徴とする、商品選択販売機としている。
【考案の効果】
【０００６】
本考案の商品選択販売機は選択コントロール部、選択コントロール部はコイン投入口を含む、方向コントローラーと一ボタンを含み、及び商品選択室、商品選択室の中には掴み爪、物置平台と商品の落し口が設置されている、物置平台と商品の落し口との間には囲いが設置されている、物置平台は移動装置が設置されていて上下に移動することが可能。本考案は商品選択販売機を提供し、商品選択コントロール部、商品選択コントロール部には位置コイン投入口、方向コントローラーとボタンが含まれ、及び商品選択室、商品選択室の中には掴み爪、物置平台と商品の落し口が設置され、物置平台と商品落し口との間には囲いが設置されている、囲いには移動装置が設置されていて上下に移動することが可能である。
【０００７】
本考案の移動装置の設置により、物置平台と囲いが上下に移動調節することが出来る、二つの間の高さの差は減少され、掴みとる過程で、掴んだ商品はしっかり掴んでないかもしれないけど、それでも落し口の上へ落ちる可能性がある。ただし物投げ線方式でついでに位置へ落ちると比較的囲いの低い位置に落ちる。或いは落ちたとき或いはその他の商品へぶつかった時は、高さ極小の囲いの中へ転がり込む。 それによって本考案は、掴み取る時の楽しいわくわく気持ちを増加するだけでなく、同時に掴み取る成功率も増加する。消費者の消費回数を増加させることで営業額も増加する。
【考案を実施するための最良の形態】
【０００８】
図２は本考案第一実施例の表示図である。本考案実施例の商品選択販売機は従来の商品選択販売機において移動装置３０を増設、移動装置３０は物置平台１１の下の方に設置されている。
引き続き図２をご覧下さい。移動装置３０はコントロール器３１、移動柱３２と一モーター３３を含む。移動柱３２は垂直に物置平台１１に設置することが出来、そしてモーター３３のコントロールにより物置平台１１を上下に移動する。そしてモーター３３は一油圧モーターになる。物置平台１１の上下移動方式は、一コントロール器３１により変動することが出来る。或いは接続されている電路板上に特殊電路コントロールを設置し、コインの投入が多い場合、物置平台１１はさらに上昇する。そして物置平台１１と囲い１３との高さを減少し、商品の掴み取りがたとえ掴んだ時或いは掴んだ後の途中の落下で、商品が落し口１４へ落ちる可能性が増加し、商品の掴み取りへの楽しみも多くなる。それによって消費者の消費願望が高くなり、営業収入も増加する。移動装置３０は前に述べた油圧モーターを使って移動柱３２を上下に移動するほか、交差伸縮柱３４を利用することも可能、〔図５をご覧下さい〕それによって上下移動の目的に達することが出来ます。上下移動方式。前述方式のほか、歯車連動方時或いはブーリーを利用して物置平台１１に上下移動をさせることが出来る〔図では示してない〕。
【０００９】
図３をご覧下さい、図は本考案第二実施例の表示図である。本考案の移動装置３０は囲い１３の下の方に設置することが出来る。その中で、移動柱３２は垂直に囲い１３に設置することが出来る。なおモーター３３によって囲い１３を上下に移動コントロールすることが出来、そしてモーター３３は一油圧モーターであることが可能である。囲い１３はＬ字型の囲い、商品選択室１０に密接して角には商品の落し口１４が設置されている。四辺の形であることが可能、そして商品落し口１４の間に設置することが出来る。囲い１３の上下方式、一コントロール器３１によって変変動することが出来、或いは電路板の上に設計された特殊電路コントロールを設置する。コインの投入が多い時に、囲い１３がさらに低く移動できることが出来、そして囲い１３と物置平台１１との高さの差も減少することが出来る。商品の掴み取りがたとえ掴んだ時或いは掴んだ後の途中の落下、商品が落し口１４へ落ちる可能性が増加、商品掴み取りへの楽しみも多くなる。
【００１０】
図４をご覧下さい、図は本考案第三実施例の表示図である。本考案実施例は更なる一歩を進んで囲い１３の一囲い面を移動可能な移動板１３１に設計され、移動板１３１の下の方に一連接位置１３２を接続します再び連接板１３２によって一移動装置３０に連接する、移動装置３０によって前後に移動する、囲い１３が形成した商品の落し口１４を使って開け口を大小に変動することが出来る、それによって商品の掴み取りの楽しさも増加する。商品の落し口１４の開け口大小の変化方式は、一コントロール器３１によって変動する、或いは電路板の上に設計された特殊電路コントロール設置する、コインの投入が多い時に、移動板１３１が外へ移動することが多くなる、そしてじょじょに商品の落とし口１４の開きが増加して、たとえ掴み取った物或いは掴んだ後に途中で落ちた物も、落とし口へ落ちる確率が増加する。
【００１１】
図５をご覧下さい、図は本考案第四実施例の表示図である。移動装置３０は前に述べた油圧モーター３３を使って移動柱３３を上下或いは左右に移動するほか、交差伸縮柱３４を利用することで上下移動の目的に達することが出来る。交差伸縮柱３４は柱を交差して組み立てることによって出来、交差の角度が増加した時、全体の長さを延長することが出来る。それによって囲い１３が上へ移動することが出来、交差の角度が減少したとき反対動作の下への移動が生じる。上下移動の方式、前に述べた方式以外にも歯車連動方式或いはブーリーを使って物置平台１１を上下に移動させることが出来る〔図には未表示〕。
【図面の簡単な説明】
【００１２】
【図１】本考案の表示図。
【図２】本考案第一実施例の表示図。
【図３】本考案第二実施例の表示図。
【図４】本考案第三実施例の表示図。
【図５】本考案第四実施例の表示図。
【符号の説明】
【００１３】
１０      商品選択室
１１      物置平台
１２      掴み爪
１３      囲い
１３１    移動板
１３２    連接板
１４      商品落とし口
２０      商品選択操作部
２１      コイン投入口
２２      方向コントローラー
２３      ボタン
２４      物の取り出し口
３０      場所移動装置
３１      コントローラー
３２      場所移動柱
３３      モーター
３４      交差伸縮棒
【図１】
0003118394.tif 000003
【図２】
0003118394.tif 000004
【図３】
0003118394.tif 000005
【図４】
0003118394.tif 000006
【図５】
0003118394.tif 000007